(57)【要約】【課題】テストパターンを撮影する撮影装置とプリンタとを接続せず、かつプリンタにてテストパターンの画像解析を行わずに最適な設定を行うことができること。【解決手段】テストパターンの印刷データに基づいて用紙にテストパターンを印刷する印刷手段と、テストパターンの印刷画像を撮影すると印刷補正データを生成する機能を有する携帯端末により撮影されたテストパターンの印刷画像に対する印刷補正データを受信する通信手段と、通信手段で受信した印刷補正データに基づいて印刷手段の印刷設定を行う制御手段と、を備える。【選択図】図１４
2016218786.tif 000002
【特許請求の範囲】
【請求項１】
テストパターンの印刷データに基づいて用紙に前記テストパターンを印刷する印刷手段と、
テストパターンの印刷画像を撮影すると印刷補正データを生成する機能を有する携帯端末により撮影された前記テストパターンの印刷画像に対する印刷補正データを受信する通信手段と、
前記通信手段で受信した前記印刷補正データに基づいて前記印刷手段の印刷設定を行う制御手段と、
を備えたことを特徴とする画像形成装置。
【請求項２】
請求項１に記載の画像形成装置であって、前記印刷補正データに基づく前記印刷設定が完了すると、少なくとも前記携帯端末に印刷設定が完了したことを通知する通信手段を備えたことを特徴とする画像形成装置。
【請求項３】
請求項２に記載の画像形成装置であって、前記通信手段は、印刷設定の完了後に前記携帯端末の表示部に、印刷設定の完了した日時、補正値を表示するためのデータを送信することを特徴とする画像形成装置。
【請求項４】
請求項１に記載の画像形成装置であって、前記通信手段は前記印刷補正データを無線データで受けることができるようにしたことを特徴とする画像形成装置。
【請求項５】
テストパターンの印刷画像を撮影すると印刷補正データを生成する機能を有する携帯端末と、
テストパターンの印刷データに基づいて用紙に前記テストパターンを印刷する印刷手段、前記携帯端末により撮影された前記テストパターンの印刷画像に対する印刷補正データを受信する通信手段、及び前記通信手段で受信した前記印刷補正データに基づいて前記印刷手段の印刷設定を行う制御手段を有する画像形成装置と、
を備えたことを特徴とする画像形成システム。
【請求項６】
テストパターンの印刷データに基づいて用紙に前記テストパターンを印刷し、
テストパターンの印刷画像を撮影すると印刷補正データを生成する機能を有する携帯端末により撮影された前記テストパターンの印刷画像に対する印刷補正データを受信し、
受信した前記印刷補正データに基づいて印刷手段の印刷設定を行うことを特徴とする画像形成方法。
【請求項７】
画像形成装置のコンピュータが読み取り可能なプログラムであって、
前記画像形成装置のコンピュータに、
印刷手段が、テストパターンの印刷データに基づいて用紙に前記テストパターンを印刷する手順、
通信手段が、テストパターンの印刷画像を撮影すると印刷補正データを生成する機能を有する携帯端末により撮影された前記テストパターンの印刷画像に対する印刷補正データを受信する手順、
制御手段が、前記通信手段で受信した前記印刷補正データに基づいて前記印刷手段の印刷設定を行わせる手順、
を実行させるためのプログラム。
【請求項８】
携帯端末のコンピュータが読み取り可能なプログラムであって、
前記携帯端末のコンピュータに、
撮影手段が、画像形成装置により印刷されたテストパターンの印刷画像を撮影する手順、
解析手段が、前記印刷画像を解析して印刷補正データを生成する手順、
通信手段が、前記印刷補正データを前記画像形成装置の通信手段に送信する手順、
を実行させるためのプログラム。
【発明の詳細な説明】
【技術分野】
【０００１】
本発明は、画像形成装置、画像形成システム、画像形成方法、及びプログラムに関する。
【背景技術】
【０００２】
画像形成装置には印刷を補正するためのテストパターンの印刷機能を有し、テストパターンの印刷結果から、印刷補正の数値をユーザーが目視で確認し、プリンタドライバの指定された欄に入力し反映させることで印刷補正をする技術が知られている。
【０００３】
また、プリンタが印刷したテストパターンをデジタルカメラで撮影し、撮影した画像データをプリンタに転送し、プリンタにて画像データから印刷補正データを生成し、印刷補正を行う技術が知られている。
【０００４】
しかし、今までのユーザーが目視で確認し、プリンタドライバへ補正値を入力する方法では、ユーザーが自分で印刷結果を確認する必要があり、プリンタドライバへ手入力する必要もあった。このため、PC(Personal Computer)にて印刷を実行し、プリンタに出力画像を取りに行き、再度PCにてプリンタドライバへ入力するため、自席→プリンタ→自席への移動が必要で非常に手間がかかるという問題があった。
しかし、今までのデジタルカメラは撮影画像そのものを送信しプリンタにて画像解析を行う為、プリンタの処理の負荷があがってしまう、また有線で接続する必要がありデジタルカメラを使用するときには一度接続する必要があるという問題があった。
【０００５】
このため、種々の提案がなされた（例えば、特許文献１参照。）。
特許文献１には、テストパターンを読み取る手段に余分なコストをかけない目的で、デジタルカメラの接続I/Fをもち、デジタルカメラを撮影モードにした状態でプリンタに接続することで、自動的にテストパターンを撮影する最適な設定がされ、その状態で撮影すると自動的にプリンタへ画像データを転送し、印刷補正用テストパターンを撮影した画像をプリンタが受信すると、その画像を解析して印刷補正を自動的に行う構成が開示されている。
【発明の概要】
【発明が解決しようとする課題】
【０００６】
しかしながら、特許文献１に記載の発明は、撮影装置と接続する必要がある点や、プリンタ側に画像解析の負荷がかかる点については問題が解消されていない。
【０００７】
そこで、本発明の目的は、テストパターンを撮影する撮影装置とプリンタとを接続せず、かつプリンタにてテストパターンの画像解析を行わずに最適な設定を行うことができることにある。
【課題を解決するための手段】
【０００８】
上記課題を解決するため、請求項１に記載の発明は、テストパターンの印刷データに基づいて用紙に前記テストパターンを印刷する印刷手段と、テストパターンの印刷画像を撮影すると印刷補正データを生成する機能を有する携帯端末により撮影された前記テストパターンの印刷画像に対する印刷補正データを受信する通信手段と、前記通信手段で受信した前記印刷補正データに基づいて前記印刷手段の印刷設定を行う制御手段と、を備えたことを特徴とする。
【発明の効果】
【０００９】
本発明によれば、テストパターンを撮影する撮影装置とプリンタとを接続せず、かつプリンタにてテストパターンの画像解析を行わずに最適な設定を行うことができる。
【図面の簡単な説明】
【００１０】
【図１】本発明の一実施形態に係る全体構成図である。
【図２】図１に示したインクジェットプリンタの電気的接続概要について説明するための説明図である。
【図３】図１に示したインクジェットプリンタの機能ブロック図の一例である。
【図４】図１に示したインクジェットプリンタのキャリッジと用紙の走査方向、印刷方法について説明するための説明図である。
【図５】（ａ）〜（ｅ）は、図１に示したインクジェットプリンタのキャリッジの位置検出について説明するための説明図である。
【図６】（ａ）、（ｂ）は、図１に示したインクジェットプリンタのキャリッジの位置検出について説明するための説明図である。
【図７】図１に示したインクジェットプリンタのヘッドの吐出タイミングについての説明図である。
【図８】（ａ）、（ｂ）は、図１に示したインクジェットプリンタのヘッド位置調整パターンについての説明図である。
【図９】図１に示したインクジェットプリンタの用紙搬送についての説明図である。
【図１０】（ａ）、（ｂ）は、図１に示したインクジェットプリンタの用紙送り量調整についての説明図である。
【図１１】図１に示したインクジェットプリンタのテストパターンを撮影するための撮影装置についてのハードウェアブロック図の一例である。
【図１２】図１１に示した撮影装置の機能ブロック図の一例である。
【図１３】実施例１としての画像形成システムにおけるテストパターンの撮影についての説明図である。
【図１４】図１３についてのフローチャートの一例である。
【図１５】画像形成システムとしての実施例２の概念図である。
【図１６】画像形成システムとしての実施例３の概念図である。
【図１７】実施例４の概念図である。
【発明を実施するための形態】
【００１１】
本発明の実施の形態を説明する。
＜概要＞
本発明は、画像形成装置の印刷補正について、補正用のテストパターンを印刷し、画像読み取り可能な撮影手段で印刷結果を読み取り、読み取った結果を印刷補正値に変換し、画像形成装置に転送するものである。
要するに、画像形成装置と撮影手段とを無線で接続したり、撮影手段側で読み取りデータを印刷補正データに変換したりするものである。
【００１２】
＜構成＞
図１は、本発明の一実施形態に係る全体構成図である。
画像形成装置としてのインクジェットプリンタ10は、装置本体10a、装置本体10aに装着した、記録媒体である用紙20を装填するための用紙トレー21、及び装置本体に装着され画像が記録（形成）された用紙20をストックする排紙トレー24を有する。
【００１３】
インクジェットプリンタ10は、用紙トレーとしての用紙積載部（圧板）21上に積載した用紙20を給紙する給紙部を有する。給紙部は、矢印P1方向に回転することで用紙20を１枚ずつ分離給送する給紙コロ（半月コロとも言う）18及び給紙コロ18に対向し、摩擦係数の大きな材質からなる分離パッド17を備えている。分離パッド17は、例えばウレタンゴムが用いられ、給紙コロ18側にバネ等で付勢されている。
【００１４】
インクジェットプリンタ10は、給紙部から給紙された用紙20を記録ヘッド11の下方側で搬送するための搬送部を有する。搬送部は、用紙20を静電吸着して搬送する搬送ベルト19を有する。搬送ローラー14及び帯電ローラー15の近傍には、搬送ベルト19により略鉛直上方に送られる用紙20を略90°方向転換させて搬送ベルト19上に倣わせるための搬送ガイド16が配置されている。搬送ベルト19上の記録ヘッド11の近傍には、押さえ部材13で搬送ベルト19側に付勢され、矢印P4方向に回転する先端加圧コロ12が配置されている。搬送ローラー14の近傍には、搬送ベルト19の表面を帯電させるための帯電手段である帯電ローラー15が配置されている。
【００１５】
ここで、搬送ベルト19は、無端状ベルトであり、矢印P3方向に回転する搬送ローラー14と、矢印P5方向に回転するテンションローラー22との間に掛け渡されて、ベルト搬送方向（矢印P6）に周回するように構成されている。帯電ローラー15は、搬送ベルト19の表層に接触し、搬送ベルト19に従動して矢印P2方向に回転するように配置されている。
【００１６】
インクジェットプリンタ10は、記録ヘッド11で記録された用紙20を排紙するための排紙部を有する。排紙部は、搬送ベルト19から用紙20を分離するための分離爪23と、矢印P7方向に回転する排紙ローラー25及び排紙コロとを備え、排紙ローラー25の下方に排紙トレー24を備えている。
【００１７】
以上より、用紙20は、用紙トレー21から矢印P8方向の経路を通って排紙トレー24に給紙され、印刷され、搬送される。
ここで、排紙ローラー25と排紙コロとの間から排紙トレー24までの高さは排紙トレー24にストックできる量を多くするためにある程度高くしている。
尚、61は記録ヘッド11を主走査方向及び副走査方向に移動させるためのキャリッジである。
【００１８】
図２は、図１に示したインクジェットプリンタの電気的接続概要について説明するための説明図である。
図２に示す破線枠内が制御基板30のハードウェアユニットであり、破線枠外が制御基板30に接続されるユニット群を示す。
制御基板30には、このインクジェットプリンタ10（図１参照）に必要な情報の入力及び表示を行なうための操作パネルとしての操作パネル42が接続されている。
【００１９】
制御基板30は、パーソナルコンピュータ等の情報処理装置やイメージスキャナ等の画像読み取り装置、デジタルカメラを含む撮像装置等のホスト側からの印刷データ等をケーブル或いはネットを介してホストI/F 34で受信する。
CPU（Central Processing Unit）31は、ホストI/F 34に含まれる受信バッファ内の印刷データを読み出して解析し、CPU31にて必要な画像処理、データの並び替え処理等を行なってヘッド制御部50に画像データを転送する。尚、画像出力するためのドットパターンデータの生成は、例えばROM32にフォントデータを格納して行っても良く、ホスト側のプリンタドライバで画像データをビットマップデータに展開し、インクジェットプリンタ10に転送するようにしても良い。ROMはRead Only Memoryの略である。RAM（Random Access Memory）33は、処理プログラムやデータファイルのワーク領域として用いられる記憶素子である。
【００２０】
ヘッド制御部50は、記録ヘッド11の１行分の画像データ（ドットパターンデータ）を受け取ると、この１行分のドットパターンデータを、クロック信号に同期して、キャリッジ61にシリアルデータで送出する。またヘッド制御部50は、所定のタイミングでラッチ信号をキャリッジ61に送出する。
ヘッド駆動部45は、ROM32に格納された駆動波形（ヘッド駆動信号）のパターンデータ読み取り、駆動波形のデータをD/A変換するDAC（デジタルアナログ変換器）44を含む波形生成回路及びアンプ等で構成される駆動波形発生回路を含む。
【００２１】
キャリッジ61と呼ばれるヘッド搭載部は、シフトレジスタと、ラッチ回路と、レベル変換回路（レベルシフタ）と、アナログスイッチアレイ（スイッチ手段）を含む回路である。ヘッド搭載部は、アナログスイッチアレイのオン／オフを制御することで駆動波形に含まれる所要の駆動波形を選択的にキャリッジ61内に搭載される記録ヘッド11のアクチュエータ手段に印加して記録ヘッド11を駆動する。
【００２２】
尚、シフトレジスタは、ヘッド制御部50からのクロック信号及び画像データであるシリアルデータを入力する機能を有する回路である。ラッチ回路は、シフトレジスタのレジスト値をヘッド制御部50からのラッチ信号でラッチする機能を有する回路である。レベル変換回路は、ラッチ回路の出力値をレベル変化する機能を有する回路である。アナログスイッチアレイは、レベルシフタでオン／オフが制御される。
【００２３】
CPU31は、A／D変換するADC（A／D変換器）35を介してアナログセンサー38の検知信号を受け取る。主走査モーター駆動部51、副走査モーター駆動部52、供給モーター駆動部37は、CPU31からの命令信号により主走査モーター46、副走査モーター48、及び供給モーター40に対し駆動信号を送る。供給モーター駆動部37、主走査モーター駆動部51、及び副走査モーター駆動部52からの駆動信号により、主走査モーター46、副走査モーター48、及び供給モーター40の電機子もしくは電機子及び界磁を励磁する。尚、43は、物理量を検知した信号をデジタル形式で出力するデジタルセンサーである。また、主走査モーター46、副走査モーター48、及び供給モーター40は、DCMTと表記されているが、これは直流モーターを示す。
【００２４】
電機子もしくは電機子及び界磁の励磁により主走査モーター46、副走査モーター48、及び供給モーター40が回転駆動される。主走査モーター46、副走査モーター48、及び供給モーター40の動きを供給エンコーダーセンサー41、主走査エンコーダーセンサー47a、及び副走査エンコーダーセンサー49aで読み取る。供給エンコーダーセンサー41、主走査エンコーダーセンサー47a、及び副走査エンコーダーセンサー49aで読み取った結果をCPU31にフィードバックすることで主走査モーター46、副走査モーター48、及び供給モーター40の回転数が制御される。図中CLT39はCPU31からの指示によりクラッチ駆動部36からの駆動電流で駆動する電磁クラッチであり、例えば給紙コロ18（図１）に用いられる。
【００２５】
図３は、図１に示したインクジェットプリンタの機能ブロック図の一例である。
図３に示したインクジェットプリンタ10は、通信手段53、検知手段54、給紙手段55、操作表示手段56、印刷手段57、移動手段58、搬送手段59、及び制御手段60を有する。図３に示す通信手段53は、図２に示すホストI/F34に無線通信回路もしくは赤外線通信回路を接続することによって実現される。図３に示す検知手段54は、図２に示すアナログセンサー38及びデジタルセンサー43によって実現される。図３に示す給紙手段55は、図２に示す給紙コロ18、分離パッド17、搬送ガイド16によって実現される。図３に示す操作表示手段56は、図２に示す操作パネル42によって実現される。図３に示す印刷手段57は、図２に示す記録ヘッド11、供給モーター40、及び供給エンコーダーセンサー41によって実現される。
【００２６】
図３に示す移動手段58は、図２に示す主走査モーター駆動部51、主走査モーター46、主走査エンコーダーセンサー47aによって実現される。図３に示す搬送手段59は、図２に示す搬送ローラー14、帯電ローラー15、テンションローラー22、搬送ベルト19、供給モーター駆動部37、排紙ローラー25、分離爪23によって実現される。図３に示す制御手段60は、図２に示すCPU31、ROM32、RAM33、ヘッド制御部50によって実現される。
【００２７】
図４は、図１に示したインクジェットプリンタのキャリッジと用紙の走査方向、印刷方法について説明するための説明図である。
用紙20（図１参照）は副走査モーター48の出力軸に固定された駆動プーリ64からタイミングベルト63を通じて駆動される搬送ローラー14と搬送ローラー14に従動して動作するテンションローラー22にて駆動される搬送ベルト19によって搬送される。尚、この搬送方向を副走査方向とする。
また搬送ローラー14には円形のロータリーエンコーダーシート49bが備えられており、ロータリーエンコーダーシート49bの外周部を囲むように配置されたエンコーダーセンサー49aからの信号を元に回転数を制御している。
【００２８】
インクジェット方式の画像形成装置に用いられる記録ヘッド11はキャリッジ61と呼ばれる構成部材に取り付けられている。このキャリッジ61は主走査モーター46を駆動することで駆動プーリ62、従動プーリ66、タイミングベルト65によって用紙20の搬送方向に対し、直角にガイドロッド100a、100b上を主走査する。
【００２９】
またキャリッジ61にはインクカートリッジから記録ヘッド11へインクを供給するためのインクチューブが接続されている。このキャリッジ61にはエンコーダーセンサー47aが搭載されておりエンコーダースケール47bからキャリッジ61の位置を読み取りモーター回転数を制御する。供給モーター40は、記録ヘッド11へインクを供給するポンプを駆動するためのモーターである。
【００３０】
シリアル方式のインクジェットプリンタ10は、キャリッジ61の走査と搬送とを繰り返すことで、用紙20への印刷を行う。また右端部のキャリッジ61の下にはメンテナンス機構67が搭載されており、記録ヘッド11のメンテナンスを行う。メンテナンス機構67の中にはメンテナンスモーターとロータリーエンコーダーとエンコーダーセンサーとが搭載されており、主／副走査モーターと同様にエンコーダ信号のフィードバックによって、回転数を制御する。
【００３１】
図５（ａ）〜（ｅ）は、図１に示したインクジェットプリンタのキャリッジの位置検出について説明するための説明図である。すなわち、図５（ａ）は、キャリッジとエンコーダーセンサーとの位置関係を示す図である。図５（ｂ）、（ｃ）は、エンコーダーセンサーとエンコーダースケールとの位置関係を示す図であり、図５（ｄ）は、センサ信号を示し、図５（ｅ）は、位置カウントを示す図である。
【００３２】
キャリッジ61にはエンコーダーセンサー47aと呼ばれる透過型の光学センサが実装されている。このエンコーダーセンサー47aの間にLED47aaからフォトトランジスタ47abへ向かう光を遮光する部分と透光する部分が交互に配置されたエンコーダースケール47bを通すことによりエンコーダーセンサー47aはオン／オフの状態になる。キャリッジ61が走査すると、エンコーダースケール47bに対して、エンコーダーセンサー47aが移動するため、エンコーダーセンサー47aはオン／オフを繰り返し、エンコーダ信号として、CPU31に送信される。
【００３３】
CPU31はエンコーダーセンサー47aの出力信号の立下りエッジごとに、カウントアップするレジスタを備え、位置カウントをカウントアップさせ、カウントの値によってキャリッジ61の位置を特定することができる。
【００３４】
図６（ａ）、（ｂ）は、図１に示したインクジェットプリンタのキャリッジの位置検出について説明するための説明図である。記録ヘッドの取り付け位置について説明するための説明図である。
キャリッジ61には２つの記録ヘッド11a,11bが搭載されているものとする。各記録ヘッド11a,11bには２列のノズル列が配置されており、２つの記録ヘッド11a,11bを搭載することでキャリッジ61には、４列のノズル列が搭載されることになる。各ノズル列は各色のインクが充填されており、それぞれのノズル列で各色の画像形成するためのインク滴を吐出する。
【００３５】
ノズル列に対してインクの色の組み合わせは図６（ａ）の左からC（Cyan）、K（blacK）、Y(Yellow)、M(Magenta)、の順に並んでいる。
キャリッジ61が走査方向に移動しながら、インク滴を吐出すると、図６（ｂ）に示すようにエンコーダースケール47bの位置は同じ位置でもキャリッジ61に対する記録ヘッド11a,11bの配置位置は異なるため、用紙20の表面への吐出位置は変わる。また記録ヘッド1aと記録ヘッド1bとの間の距離が変わると吐出位置はその距離の分だけ変わることとなる。
【００３６】
図７は、図１に示したインクジェットプリンタのヘッドの吐出タイミングについての説明図である。
各色のノズル全て同じ用紙の位置に吐出したい場合は図６（ａ）、（ｂ）のように、ノズルのキャリッジ上の位置は異なるため、インクの吐出タイミングをずらすことで用紙上の位置を同じにする制御を実施している。例えば、図７において、エンコーダの位置が２、すなわち、エンコーダースケール47bの２の位置にエンコーダーセンサー47aが位置したときにはC（Cyan）のインクが記録ヘッド11aのノズルから吐出される。エンコーダの位置が３、すなわち、エンコーダースケール47bの３の位置にエンコーダーセンサー47aが位置したときにはK（blacK）のインクが記録ヘッド11aのノズルから吐出される。
【００３７】
エンコーダの位置が４、すなわち、エンコーダースケール47bの４の位置にエンコーダーセンサー47aが位置したときにはY(Yellow)のインクが記録ヘッド11bのノズルから吐出される。同様に、エンコーダの位置が５、すなわち、エンコーダースケール47bの５の位置にエンコーダーセンサー47aが位置したときにはM(Magenta)のインクが記録ヘッド11aのノズルから吐出される。
【００３８】
図８（ａ）、（ｂ）は、図１に示したインクジェットプリンタのヘッド位置調整パターンについての説明図である。
図８（ａ）は、ヘッドの位置が−４、−３、…、０、…、＋３、＋４まであることを示す図であり、図８（ｂ）は、図２に示した操作パネル42に表示される画面の一例である。
図８（ｂ）のヘッド位置調整値の設定Ａ（Ａ）：欄の右横の「０▲/▼」の中の数値「０」を変えることによりヘッドの位置が変化する。数値を変化させるには「▲」もしくは「▼」をクリックすることにより行われる。
【００３９】
図６（ａ）、（ｂ）のように、異なる色のインクが吐出されるノズル列が配置されている場合、記録ヘッド11a,11bの位置に合わせた吐出タイミングにするため、記録ヘッド11a,11bの位置がどれくらいずれているかを確認する必要がある。そのため図７のように記録ヘッド11aから吐出されるK(black)のインクにてテストパターンを用紙20に印刷し、その上に記録ヘッド11bから吐出されるM(Magenta)のインクを重ねて印刷し、ユーザーの目で目視確認をする。すなわち、最も重なって印字されている部分に記載のある設定値を設定することで、吐出タイミングを調整し、記録ヘッド11aと記録ヘッド11bとの間のギャップを調整できるように構成されている。
【００４０】
図９は、図１に示したインクジェットプリンタの用紙搬送についての説明図である。
用紙は搬送ベルト19によって搬送される。副走査モーター48が回転することで、搬送ベルト19によって連結された搬送ローラー14が回転し、搬送ローラー14に連結された搬送ベルト19が回転することで用紙を搬送する。
【００４１】
搬送ローラー14の軸には、ロータリーエンコーダーシート49bが取り付けられており、エンコーダーシート49bの近傍にはエンコーダーセンサー49aが取り付けられている。搬送ローラー14が回転すると搬送ローラー14の軸に取り付けられたロータリーエンコーダーシート49bも回転し、その回転数と回転方向と回転速度がロータリーエンコーダーシート49bの近傍に取り付けられたエンコーダーセンサー49aが検出する。エンコーダーセンサー49aの信号から搬送ローラー14の回転数を求め、搬送ベルト19の搬送距離に換算する。
【００４２】
図１０（ａ）、（ｂ）は、図１に示したインクジェットプリンタの用紙送り量調整についての説明図である。
図１０（ａ）は、用紙送り量のイメージを示し、図１０（ｂ）は、図２に示した操作パネル42に表示される画面の一例である。
図１０（ｂ）の用紙送り量調整値の設定の欄に「用紙送り量（Ｈ）：  ０▲/▼」が表示されており、「▲」もしくは「▼」をクリックすることにより図１０（ａ）の用紙送り量と連動して数値が変化する。
【００４３】
図９のように、エンコーダーセンサー49aからの信号のカウント値によって搬送距離を測定しているが、搬送ローラー14の径や搬送ベルト19の厚さや周辺温度によっては、エンコーダカウント値と実際の搬送距離との間にはずれが生じてくる。
そのため主走査を行って１走査分だけ用紙に印刷し、指定の距離を搬送し再度主走査を行って１走査分だけ印刷させる。これにより、一度目と二度目の印刷結果の重なり具合によって、四角の絵の色に応じて、四角の絵の上の数字をプリンタドライバ上に入力することで、搬送距離を調整する。
【００４４】
図１１は、図１に示したインクジェットプリンタのテストパターンを撮影するための撮影装置についてのハードウェアブロック図の一例である。
図１１に示す撮影装置70は、CPU71、ROM72、RAM73、キーI/F制御部74、操作キー75、カメラ制御部76、画像処理部77、タッチパネル制御部78、USB-I/F79、NFC-I/F80、カメラ部81、LCD/タッチパネル部82、及びバスライン83を有する。
【００４５】
ROM72は処理プログラムを格納し、RAM73は処理プログラムやデータファイルのワーク領域として用いると共に、撮影された画像データファイル、システムファイル、制御データファイル等のデータを格納する。キーI/F制御部74はユーザーの操作を受け付ける。
【００４６】
カメラ部81はレンズ群及び撮像素子等からなり、カメラ制御部76により制御される。画像処理部77は、カメラ制御部76からの画像データや、後述する圧縮伸張部からの画像データをLCD/タッチパネル部82に映像信号として出力する。撮影装置70は、LCD/タッチパネル部82からの入力信号を検出するタッチパネル制御部78を有する。また、外部機器と接続する、UEB-I/F79とNFC-I/F80とを有する。
【００４７】
図１２は、図１１に示した撮影装置の機能ブロック図の一例である。
図１１に示す撮影装置70は、制御手段91、通信手段92、記憶手段93、撮影手段94、操作表示手段95、及び解析手段96を有する。
【００４８】
制御手段91は、図１１に示したCPU71によって実現される。通信手段92は、図１１に示したUSB-I/F79もしくはNFC-I/F80に無線通信回路もしくは赤外線通信回路を接続することによって実現される。記憶手段93は、図１１に示したROM72及びRAM73によって実現される。撮影手段94は、図１１に示したカメラ制御部76及びカメラ部81によって実現される。操作表示手段95は、図１１に示したキーI/F制御部74、操作キー75、画像処理部77、タッチパネル制御部78、及びLCD/タッチパネル部82によって実現される。解析手段96は、図１１に示したCPU71、ROM72、及びRAM73によって実現される。
【実施例１】
【００４９】
図１３は、実施例１としての画像形成システムにおけるテストパターンの撮影についての説明図であり、図１４は、図１３についてのフローチャートの一例である。
ユーザーがプリンタ10またはプリンタ10に接続されたPCを操作する（Ｓ１）。
プリンタ10にて用紙20aにテストパターンを印刷し（Ｓ２）、排紙された印刷結果を撮影装置70にてテストパターンの撮影を実施する（Ｓ３）。
撮影装置70にて撮影された画像データを、撮影装置70にて解析し、撮影装置70にて印刷補正データに変換する（Ｓ４）。
撮影装置70にて変換した補正データをプリンタ10（図２のインクジェットプリンタ10に相当）に転送し（Ｓ５）、プリンタ10のROMに保存し、印刷設定を行うことにより印刷制御に反映させる（Ｓ６）。
【実施例２】
【００５０】
図１５は、画像形成システムとしての実施例２の概念図である。
実施例２は、実施例１に記載した構成で、ネットワーク上でプリンタ10に接続されている複数の端末800に対し、印刷補正の実施完了後に実施完了通知を通達する。各端末800は表示部に、補正の完了日時、補正値を表示するためのデータを送信することにより、ユーザーは印刷補正の完了をいち早く把握することができる。
【実施例３】
【００５１】
図１６は、画像形成システムとしての実施例３の概念図である。
実施例３は、実施例１に記載した構成で、撮影装置70からプリンタ10へのデータ転送を無線通信で実施するものである。これにより印刷補正データを無線データで受け取ることができるので、プリンタ10と撮影装置70との接続にケーブルを用いる手間が省ける。
【実施例４】
【００５２】
図１７は、実施例４の概念図である。
実施例４は、実施例１に記載した構成で、撮影装置70に印刷補正完了の通知と、日時、補正した補正値を通知するものである。
すなわち、撮影装置70に「印刷補正完了！  20XXX/XX/XX  XX:XX  補正値XXで完了しました」と表示されることにより、撮影装置70のユーザーは印刷補正完了の確認が容易となる。
【００５３】
＜作用効果＞
以上より、本実施形態によれば、撮影装置（スマートフォン等）側でテストパターンの画像解析を行い、NFC（近距離無線通信）にて、印刷補正データを転送する。この結果、プリンタでの画像解析処理をなくすことができる。また、プリンタと撮影装置との物理的接続を不要にすることができる。
【００５４】
本実施形態によれば、テストパターンをユーザーが読み取り、PCに入力する手間がない。また、本実施形態によれば、印刷補正完了後に別ユーザーが再び補正をする二度手間がなくなる。また、本実施形態によれば、ケーブル等の物理的な接続が不要となる。また、本実施形態によれば、ユーザーに対し、補正値がいくつであったかを通知できる。
【００５５】
＜プログラム１＞
以上で説明した本発明に係る画像形成装置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラム１により本発明の機能を実現する場合の説明を以下で行う。
【００５６】
例えば、
画像形成装置のコンピュータが読み取り可能なプログラムであって、
コンピュータに、
印刷手段が、テストパターンの印刷データに基づいて用紙にテストパターンを印刷する手順、
通信手段が、テストパターンの印刷画像を撮影すると印刷補正データを生成する機能を有する携帯端末により撮影されたテストパターンの印刷画像に対する印刷補正データを受信する手順、
制御手段が、通信手段で受信した印刷補正データを印刷調整値として印刷手段に反映させる手順、
を実行させるためのプログラムが挙げられる。
【００５７】
このようなプログラムは、コンピュータに読み取り可能な記憶媒体に記憶されていてもよい。
【００５８】
＜記憶媒体＞
ここで、記憶媒体としては、例えばCD-ROM、フレキシブルディスク（FD）、CD-R等のコンピュータで読み取り可能な記憶媒体、フラッシュメモリ、RAM、ROM、FeRAM等の半導体メモリやHDDが挙げられる。
【００５９】
CD-ROMは、Compact Disc Read Only Memoryの略である。フレキシブルディスクは、Flexible Disk：FDを意味する。CD-Rは、CD Recordableの略である。RAMは、Random-Access Memoryの略である。ROMは、Read-Only Memoryの略である。FeRAMは、Ferroelectric RAMの略で、強誘電体メモリを意味する。HDDは、Hard Disc Driveの略である。
【００６０】
＜プログラム２＞
また、携帯端末は、コンピュータで処理を実行させるプログラムによって実現されている。
一例として、プログラム２により本発明の機能を実現する場合の説明を以下で行う。
【００６１】
例えば、
携帯端末のコンピュータが読み取り可能なプログラムであって、
携帯端末のコンピュータに、
撮影手段が、画像形成装置により印刷されたテストパターンの印刷画像を撮影する手順、
解析手段が、印刷画像を解析して補正データを生成する手順、
通信手段が、印刷補正データを画像形成装置の通信手段に送信する手順、
を実行させるためのプログラムが挙げられる。
このようなプログラムは、例えば画像形成装置の取扱説明書に印刷された一次元バーコードもしくは二次元バーコードを携帯端末のバーコードリーダーで読み取って所定のホームページに接続した後ダウンロードすることにより取得できるようになっている。
【００６２】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００６３】
１０    インクジェットプリンタ
１１    記録ヘッド
１２    先端加圧コロ
１３    抑え部材
１４    搬送ローラー
１５    帯電ローラー
１６    搬送ガイド
１７    用紙分離パッド
１８    給紙コロ
１９    搬送ベルト
２０    用紙
２１    用紙トレー
２２    テンションローラー
２３    分離爪
２４    排紙トレー
２５    排紙ローラー
３０    制御基板
４０    供給モーター
４６    主走査モーター
４７ａ    エンコーダーセンサー
４７ｂ    エンコーダースケール
４８    副走査モーター
４９ａ    副走査エンコーダーセンサー
４９ｂ    副走査エンコーダーシート
６１    キャリッジ
【先行技術文献】
【特許文献】
【００６４】
【特許文献１】特開２００６−１２１４８６号公報
【図２】
2016218786.tif 000003
【図３】
2016218786.tif 000004
【図７】
2016218786.tif 000005
【図１１】
2016218786.tif 000006
【図１２】
2016218786.tif 000007
【図１４】
2016218786.tif 000008
【図１】
2016218786.tif 000009
【図４】
2016218786.tif 000010
【図５】
2016218786.tif 000011
【図６】
2016218786.tif 000012
【図８】
2016218786.tif 000013
【図９】
2016218786.tif 000014
【図１０】
2016218786.tif 000015
【図１３】
2016218786.tif 000016
【図１５】
2016218786.tif 000017
【図１６】
2016218786.tif 000018
【図１７】
2016218786.tif 000019